(57)【特許請求の範囲】
【請求項１】
被写体からの光を撮像する撮像素子と、
前記撮像素子からの撮像信号に基づくスルー画像を表示し、接眼レンズを介して視認可能な第１表示部と、
前記撮像素子からの撮像信号に基づくスルー画像を表示し、接眼レンズを介さずに視認可能な第２表示部と、
前記第１表示部に前記スルー画像を表示する場合には、前記スルー画像の表示態様が第１の表示態様となるように、
前記第２表示部に前記スルー画像を表示する場合には、前記スルー画像の表示態様が前記第１の表示態様と異なる第２の表示態様となるように、前記スルー画像に関する制御を行う制御部と、
を備えることを特徴とする撮像装置。
【請求項２】
前記制御部は、前記第１表示部に前記スルー画像を表示する場合には、前記撮像素子のフレームレート及び前記第１表示部のフレームレートの少なくとも一方を制御し、
前記第２表示部に前記スルー画像を表示する場合には、前記撮像素子のフレームレート及び前記第２表示部のフレームレートの少なくとも一方を制御することを特徴とする請求項１記載の撮像装置。
【請求項３】
前記制御部は、前記第１表示部に前記スルー画像を表示する場合と、前記第２表示部に前記スルー画像を表示する場合とで、前記スルー画像の露出、前記被写体からの光を計測する測光部による測光結果に基づく測光演算の周期、前記スルー画像に対するホワイトバランス調整のための演算の周期、前記スルー画像に対する画像処理パラメータを演算する周期、記録媒体に記録するために設定される画像処理パラメータ、絞り値、及びフォーカス位置調整処理の少なくとも一つを異ならせることを特徴とする請求項１記載の撮像装置。
【請求項４】
前記制御部は、前記第１表示部に前記スルー画像を表示する場合には、前記スルー画像の露出制御として、撮影条件として設定されている測光領域より広い測光領域を前記測光部により測光した測光結果に基づき前記スルー画像の露出を決定する処理、前記測光部による測光結果に基づく前記スルー画像の露出補正を遅くする処理、及び前記測光部による測光結果に基づく前記スルー画像の露出補正値の演算周期を遅くする処理の少なくとも一つの処理を実行することを特徴とする請求項３記載の撮像装置。
【請求項５】
前記制御部は、前記第１表示部に前記スルー画像を表示する場合には、前記測光部による測光結果に基づく測光演算の周期を早くし、
前記第２表示部に前記スルー画像を表示する場合には、前記測光部による測光結果に基づく測光演算の周期を遅くすることを特徴とする請求項３記載の撮像装置。
【請求項６】
前記制御部は、前記第１表示部に前記スルー画像を表示する場合には、前記スルー画像に対するホワイトバランス調整のための演算の周期を早くし、
前記第２表示部に前記スルー画像を表示する場合には、前記スルー画像に対するホワイトバランス調整のための演算の周期を遅くすることを特徴とする請求項３記載の撮像装置。
【請求項７】
前記制御部は、前記第１表示部に前記スルー画像を表示する場合には、前記スルー画像に対する画像処理パラメータを演算する周期を早くし、
前記第２表示部に前記スルー画像を表示する場合には、前記スルー画像に対する画像処理パラメータを演算する周期を遅くすることを特徴とする請求項３記載の撮像装置。
【請求項８】
前記制御部は、前記第１表示部に前記スルー画像を表示する場合には、前記記録媒体に記録するために設定される前記画像処理パラメータであるガンマ値調整処理パラメータを前記スルー画像が明るくなる値に変更する処理、輪郭強調処理パラメータを前記スルー画像の輪郭強調が強調される値に変更する処理、ノイズ低減処理パラメータを前記スルー画像のノイズが低減される値に変更する処理、ホワイトバランス調整処理パラメータの値の変更を禁止する処理または変更周期を遅くする処理、及び色変換処理パラメータの値の変更を禁止する処理または変更周期を遅くする処理の少なくとも一つの処理を実行することを特徴とする請求項３記載の撮像装置。
【請求項９】
前記制御部は、前記第１表示部に前記スルー画像を表示する場合には、前記絞り値を大きくする処理、位相差検出方式によるフォーカス位置の調整処理、及び当該フォーカス位置を調整する周期を早くする処理の少なくとも一つの処理を行い、
前記第２表示部に前記スルー画像を表示する場合には、コントラスト検出方式によるフォーカス位置の調整処理、及び当該フォーカス位置を調整する周期を遅くする処理の少なくとも一方の処理を行うことを特徴とする請求項３記載の撮像装置。
【請求項１０】
前記制御部は、前記第１表示部に前記スルー画像を表示する場合には、前記第１表示部に表示するために設定される画像処理パラメータを制御し、
前記第２表示部により前記スルー画像を表示する場合には、前記第２表示部に表示するために設定される画像処理パラメータを制御することを特徴とする請求項１記載の撮像装置。
【請求項１１】
前記画像処理パラメータは、ガンマ値調整処理パラメータ、輪郭強調処理パラメータ、ノイズ低減処理パラメータ、ホワイトバランス調整処理パラメータ、及び色変換処理パラメータの少なくとも一つであることを特徴とする請求項１０記載の撮像装置。
【発明の詳細な説明】
【技術分野】
【０００１】
本発明は、撮像装置に関するものである。
【背景技術】
【０００２】
シャッタスイッチを操作していない場合において、フレームレートが遅い第１のタイミングに設定された状態でフレーム画像が撮像装置からメモリに取り込まれ、表示部に粗いモニタ画像を表示することによりバッテリ電源による駆動電力の消費を抑制し、シャッタスイッチを半押し操作した場合、即ち撮影直前の場合において、フレームレートが速い第２のタイミングに設定された状態でフレーム画像が撮像装置からメモリに取り込まれ、表示部に粗さのない高品質なモニタ画像を表示する画像撮影装置が提案されている（例えば、特許文献１参照）。
【先行技術文献】
【特許文献】
【０００３】
【特許文献１】特開２００１−２５７９１２号公報
【発明の概要】
【発明が解決しようとする課題】
【０００４】
ところで、上述の特許文献１記載の画像撮影装置では、被写体の状態、例えば被写体が動体であるか否か等に関係なく、ユーザーがシャッタスイッチを操作するとフレームレートを第１のタイミングから第１のタイミングより速い第２のタイミングに切り換えていた。即ち、被写体が動体でなく、高速で被写体を追尾する必要がない場合においても、フレームレートを第１のタイミングから第２のタイミングに切り換えていた。また、従来の撮像装置では、接眼式及びパネル式のＥＶＦ（電子ビューファインダ）を備えている場合においても、スルー画像が表示されるＥＶＦの切り換えがなされるのみで、被写体の状態に応じたスルー画像の表示制御はなされていなかった。
【０００５】
本発明の目的は、接眼式のＥＶＦまたはパネル式のＥＶＦに表示されるスルー画像を被写体の状態に応じて表示制御することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体からの光を撮像する撮像素子（１０）と、前記撮像素子（１０）からの撮像信号に基づくスルー画像を表示し、接眼レンズ（２５）を介して視認可能な第１表示部（２６）と、前記撮像素子（１０）からの撮像信号に基づくスルー画像を表示し、接眼レンズを介さずに視認可能な第２表示部（２８）と、前記第１表示部（２６）に前記スルー画像を表示する場合には、前記スルー画像の表示態様が第１の表示態様となるように、前記第２表示部（２８）に前記スルー画像を表示する場合には、前記スルー画像の表示態様が前記第１の表示態様と異なる第２の表示態様となるように、前記スルー画像に関する制御を行う制御部（８）とを備えることを特徴とする。
【発明の効果】
【０００８】
本発明の撮像装置によれば、接眼レンズを介して視認可能な第１表示部または接眼レンズを介さずに視認可能な第２表示部に表示されるスルー画像を被写体の状態に応じて表示制御することができる。
【図面の簡単な説明】
【０００９】
【図１】実施の形態に係る電子カメラの構成を示す図である。
【図２】実施の形態に係る電子カメラにおいて撮影する際のスルー画像の撮影処理について説明するためのフローチャートである。
【発明を実施するための形態】
【００１０】
以下、図面を参照して、本発明の実施の形態に係る撮像装置としての電子カメラについて説明する。図１は、実施の形態に係る電子カメラ２の構成を示す図である。図１に示すように、電子カメラ２には、電子カメラ２に対して着脱可能に構成されるレンズユニット４が装着されており、レンズユニット４には、被写体からの光を電子カメラ２の筐体６内に導く撮影レンズ４ａ及び絞り４ｂが設けられている。
【００１１】
電子カメラ２の筐体６内には、マイクロプロセッサ等により構成され、電子カメラ２の各部を統括的に制御する制御部８が設けられている。制御部８には、撮像素子１０、焦点検出部１２、コントラスト値検出部１４、アイセンサ１５、接眼式ＥＶＦ表示制御部１６、画像処理部１８、バッファメモリ２０、パネル式ＥＶＦ表示制御部２２、メモリカード２４が接続されている。
【００１２】
撮像素子１０は、ＣＭＯＳ等により構成され、撮影レンズ４ａ及び絞り４ｂの開口部を介した被写体からの光を撮像する。また、撮像素子１０の一部には、瞳分割位相差検出方式を行うためのＡＦ用画素が埋め込まれている。測光部１１は、被写体からの光を計測する。
【００１３】
焦点検出部１２は、撮像素子１０の一部に埋め込まれたＡＦ用画素により撮像される被写体像の焦点状態を検出する。即ち、周知の瞳分割位相差検出方式により被写体の距離情報を測定し、測定された距離情報に基づいてデフォーカス量を検出する。なお、焦点検出部１２及びＡＦ用画素が埋め込まれた撮像素子１０の代わりに、例えばＡＦセンサ及びハーフミラー等を備え、ハーフミラーを透過した被写体からの光を撮像素子へ、ハーフミラーを反射した被写体からの光をＡＦセンサへ導き、周知の位相差検出方式によりデフォーカス量を検出する構成にすることもできる。コントラスト値検出部１４は、撮像素子１０の撮像信号に基づき生成された画像データのコントラスト値を検出し、検出されたコントラスト値に基づいてデフォーカス量を検出する。制御部８は、焦点検出部１２により検出されるデフォーカス量またはコントラスト値検出部１４により検出されるデフォーカス量に基づいて、レンズユニット４内のレンズ駆動部（図示せず）を介して、レンズユニット４内のフォーカスレンズ（図示せず）を光軸方向に移動させることによりフォーカス位置を調節する。
【００１４】
アイセンサ１５は、例えば検出光を投光する投光部（図示せず）、及び投光部から投光された後で投光部に対向する物体（例えばユーザー）により反射された検出光を受光する受光部（図示せず）を備えて構成されており、受光部による受光結果を制御部８に対して出力する。制御部８は、アイセンサ１５の受光部による受光結果に基づいて、後述する接眼式電子ビューファインダ２６及びパネル式電子ビューファインダ２８の表示状態を制御する。
【００１５】
接眼式ＥＶＦ表示制御部１６は、撮像素子１０からの撮像信号に基づくスルー画像に対して、接眼式電子ビューファインダ（以下、接眼式ＥＶＦという。）２６に表示するための各種の画像処理（ガンマ値補正、輪郭強調、ノイズリダクション、ホワイトバランス調整、色補正、階調補正等）を施し、画像処理されたスルー画像や撮影情報等の接眼式ＥＶＦ２６への表示制御を行う。接眼式ＥＶＦ２６には、スルー画像や撮影情報等が表示され、ユーザーは、接眼式ＥＶＦ２６に表示されるスルー画像等を、接眼レンズ２７を介して視認する。
【００１６】
画像処理部１８は、撮像素子１０からの撮像信号に対して各種の画像処理（ガンマ値補正、輪郭強調、ノイズリダクション、ホワイトバランス調整、色補正、階調補正等）が施された画像データを生成する。バッファメモリ２０は、画像処理部１８により生成された画像データを一時的に記憶する。
【００１７】
パネル式ＥＶＦ表示制御部２２は、撮像素子１０からの撮像信号に基づくスルー画像に対して、パネル式電子ビューファインダ（以下、パネル式ＥＶＦという。）２８に表示するための各種の画像処理（ガンマ値補正、輪郭強調、ノイズリダクション、ホワイトバランス調整、色補正、階調補正等）を施し、画像処理されたスルー画像や撮影情報等のパネル式ＥＶＦ２８への表示制御を行う。パネル式ＥＶＦ２８には、スルー画像や撮影情報等が表示され、ユーザーは、パネル式ＥＶＦ２８に表示されるスルー画像等を、接眼レンズを介さずに直接的に視認する。
【００１８】
メモリカード２４は、電子カメラ２に設けられたカードスロット（図示せず）に着脱可能に装着される可搬性を有する記録媒体である。メモリカード２４には、バッファメモリ２０に一時的に記憶されている画像データ及び撮像に関する情報等が記録される。
【００１９】
この実施の形態では、接眼式ＥＶＦ２６にスルー画像を表示する場合において、接眼式ＥＶＦ２６の表示態様が被写体の状態に応じた最適な表示態様となるように、接眼式ＥＶＦ２６に表示されるスルー画像に関する最適な制御を行う。同様に、パネル式ＥＶＦ２８にスルー画像を表示する場合において、パネル式ＥＶＦ２８の表示態様が被写体の状態に応じた最適な表示態様となるように、パネル式ＥＶＦ２８に表示されるスルー画像に関する最適な制御を行う。即ち、接眼式ＥＶＦ２６にスルー画像を表示する場合には、接眼式ＥＶＦ２６の表示態様が最適な第１の表示態様となるように、パネル式ＥＶＦ２８にスルー画像を表示する場合には、パネル式ＥＶＦ２８の表示態様が第１の表示態様と異なる最適な第２の表示態様となるように、スルー画像に関する最適な制御を行う。
【００２０】
以下、図２に示すフローチャートを参照して、この実施の形態に係る電子カメラ２において静止画像を撮影する際のスルー画像の撮影処理について説明する。
【００２１】
まず、制御部８は、ユーザーが接眼式ＥＶＦ２６を視認しているか否かを判別する（ステップＳ１０）。具体的には、制御部８は、アイセンサ１５の受光部が投光部から投光された検出光を受光したという受光結果をアイセンサ１５から取得した場合には、ユーザーが接眼式ＥＶＦ２６を視認していると判別し、受光部が検出光を受光していないという受光結果をアイセンサ１５から取得した場合には、ユーザーが接眼式ＥＶＦ２６を視認していないと判別する。ステップＳ１０においてユーザーが接眼式ＥＶＦ２６を視認していると判別された場合には（ステップＳ１０、Ｙｅｓ）、制御部８は、接眼式ＥＶＦ２６にスルー画像を表示するために、接眼式ＥＶＦ用のスルー画像に関する処理（接眼式ＥＶＦ用スルー画像表示処理）を実行する（ステップＳ１１）。即ち、ユーザーが接眼式ＥＶＦ２６に表示されるスルー画像を接眼レンズ２７に対して接眼した状態で視認している場合には、移動する被写体（動体）を撮影しようとしている可能性が高いため、ユーザーが移動する被写体を視認しやすいように、移動する被写体を捕捉するのに最適なスルー画像に関する処理を実行する。
【００２２】
一方、ステップＳ１０においてユーザーが接眼式ＥＶＦ２６を視認していないと判別された場合には（ステップＳ１０、Ｎｏ）、制御部８は、ユーザーがパネル式ＥＶＦ２８を視認していると判断し、パネル式ＥＶＦ２８にスルー画像を表示するために、パネル式ＥＶＦ用のスルー画像に関する処理（パネル式ＥＶＦ用スルー画像表示処理）を実行する（ステップＳ１２）。即ち、ユーザーがパネル式ＥＶＦ２８に表示されるスルー画像を接眼レンズを介さずに視認している場合には、移動する被写体（動体）を撮影しようとしている可能性が低い（静止している被写体を撮影しようとしている可能性が高い）ため、ユーザーが被写体を撮影した際の撮影画像としての仕上がりをイメージしやすいように、撮影画像としてスルー画像を視認するのに最適なスルー画像に関する処理を実行する。
【００２３】
例えば、制御部８は、スルー画像に関する処理として、撮像素子１０のフレームレート（撮像素子１０から単位時間に読み出される撮像信号の数）、接眼式ＥＶＦ２６のフレームレート（接眼式ＥＶＦ２６に単位時間に表示されるフレーム画像の数）、及びパネル式ＥＶＦ２８のフレームレート（パネル式ＥＶＦ２８に単位時間に表示されるフレーム画像の数）の少なくとも一つを制御する処理を実行する。具体的には、ステップＳ１１では、制御部８は、接眼式ＥＶＦ用のスルー画像に関する処理として、移動する被写体を捕捉するために、撮像素子１０のフレームレート及び接眼式ＥＶＦ２６のフレームレートを高フレームレートに設定する。即ち、撮像素子１０から単位時間に読み出される撮像信号の数、及び接眼式ＥＶＦ２６に単位時間に表示されるフレーム画像の数を多く設定する。そして、撮像素子１０から高フレームレートで読み出された撮像信号に基づき生成された複数のフレーム画像により形成されるスルー画像を接眼式ＥＶＦ２６に高フレームレートで表示させる処理を実行する。
【００２４】
一方、ステップＳ１２では、被写体が静止している可能性が高いため、撮像素子１０のフレームレートを高フレームレートに設定する必要がない。したがって、ステップＳ１２では、制御部８は、パネル式ＥＶＦ用のスルー画像に関する処理として、節電のため、撮像素子１０のフレームレート及びパネル式ＥＶＦ２８のフレームレートを低フレームレートに設定する。即ち、撮像素子１０から単位時間に読み出される撮像信号の数、及びパネル式ＥＶＦ２８に単位時間に表示されるフレーム画像の数を少なく設定する。そして、撮像素子１０から低フレームレートで読み出された撮像信号に基づき生成された複数のフレーム画像により形成されるスルー画像をパネル式ＥＶＦ２８に低フレームレートで表示させる処理を実行する。
【００２５】
なお、撮像素子１０のフレームレートまたはパネル式ＥＶＦ２８のフレームレートのみを低フレームレートに設定することもできる。撮像素子１０のフレームレートのみを低フレームレートに設定した場合には、パネル式ＥＶＦ２８に同一のフレーム画像が２回以上表示される処理がなされ、パネル式ＥＶＦ２８のフレームレートのみが低フレームレートに設定された場合には、撮像素子１０から読み出された撮像信号により生成される複数のフレーム画像が間引きされてパネル式ＥＶＦ２８に表示される処理がなされる。
【００２６】
また、制御部８は、スルー画像に関する処理として、スルー画像の露出を制御する処理を実行する。例えば、測光部１１により測光される測光領域として撮影画面のフォーカスエリアに重なる狭い領域が設定されている場合であって、移動する被写体を撮影しようとしている場合、逆光等で測光部１１による狭い領域の測光結果が露出に反映されると、被写体のみが明るく表示（背景等が暗く表示）され、構図がわかりづらくなる場合がある。このような場合には、ステップＳ１１において接眼式ＥＶＦ用のスルー画像に関する処理として、測光部１１により測光される測光領域として撮影画面のフォーカスエリアに重なる狭い領域が設定されている場合であっても、制御部８は、撮影画面の広い領域を測光部１１に測光させ、その測光結果に基づいてスルー画像の露出を決定する処理を実行する。そして、決定された露出で生成されたスルー画像を接眼式ＥＶＦ２６に表示する。なお、実際に撮影する場合には、撮影条件として設定されている測光領域（例えば、狭い領域）を測光し、その測光結果に基づき露出を決定する。また、ステップＳ１１における接眼式ＥＶＦ用のスルー画像に関する処理として、接眼式ＥＶＦ２６に表示される被写体の移動が滑らかになるように、測光部１１による測光結果に基づいて決定される前記スルー画像の露出制御を遅くする処理、即ち測光部１１による測光結果に対する露出制御をスルー画像に反映させるのを遅らせる処理を実行することもできる。また、接眼式ＥＶＦ２６に表示されるスルー画像の明滅を抑制するために、測光部１１による測光結果に基づくスルー画像の露出制御値の演算周期を遅くする処理を実行することもできる。
【００２７】
一方、ステップＳ１２では、被写体が静止している可能性が高いため、測光部１１により測光される測光領域として撮影画面のフォーカスエリアに重なる狭い領域が設定されている場合であっても、パネル式ＥＶＦ２８に表示するスルー画像に対する露出のために、撮影画面の広い領域を測光部１１により測光させる処理を実行する必要がない。したがって、ステップＳ１２では、制御部８は、パネル式ＥＶＦ用のスルー画像に関する処理として、撮影画像としてスルー画像を視認することができるように、撮影条件として設定されている測光領域を測光部１１により測光し、その測光結果に基づいてスルー画像の露出を決定し、決定された露出で生成されたスルー画像をパネル式ＥＶＦ２８に表示する処理を実行する。
【００２８】
また、制御部８は、スルー画像に関する処理として、測光部１１による測光結果に基づく測光演算の周期を制御する処理を実行する。具体的には、ステップＳ１１では、制御部８は、接眼式ＥＶＦ用のスルー画像に関する処理として、被写体が移動している可能性が高く、被写体の輝度変化が多い可能性が高いため、測光部１１による測光結果に基づく測光演算の周期を早くする。即ち、単位時間に測光部１１による測光結果に基づき測光演算される数を多くし、ひいては測光演算に基づいて露出を決定する回数を多くする。この場合には、移動する被写体の輝度変化をスルー画像に即座に反映させることができ、かつ撮影時においても移動する被写体の輝度変化を即座に反映させることができる。
【００２９】
一方、ステップＳ１２では、被写体が静止している可能性が高く、被写体の輝度変化も少ない可能性が高いため、測光部１１による測光結果に基づく測光演算の周期を早くする必要がない。したがって、ステップＳ１２では、制御部８は、パネル式ＥＶＦ用のスルー画像に関する処理として、節電のため、測光部１１による測光結果に基づく測光演算の周期を遅くする。即ち、単位時間に測光部１１による測光結果に基づき測光演算される数を少なくし、ひいては測光演算に基づいて露出を決定する回数を少なくする。
【００３０】
また、制御部８は、スルー画像に関する処理として、ホワイトバランス調整のための演算の周期を制御する処理を実行する。具体的には、ステップＳ１１では、制御部８は、接眼式ＥＶＦ用のスルー画像に関する処理として、被写体が移動している可能性が高く、被写体の光源変化が多い可能性が高いため、ホワイトバランス調整のための演算の周期を早くする。即ち、単位時間にホワイトバランス調整のための演算を行う数を多くし、ひいてはホワイトバランスを調整する回数を多くする。この場合には、移動する被写体の光源変化をスルー画像に即座に反映させることができ、かつ撮影時においても移動する被写体の光源変化を即座に反映させることができる。
【００３１】
一方、ステップＳ１２では、被写体が静止している可能性が高く、被写体の光源変化が少ない可能性が高いため、ホワイトバランス調整のための演算の周期を早くする必要がない。したがって、ステップＳ１２では、制御部８は、パネル式ＥＶＦ用のスルー画像に関する処理として、節電のため、ホワイトバランス調整のための演算の周期を遅くする。即ち、単位時間にホワイトバランス調整のための演算を行う数を少なくし、ひいてはホワイトバランスを調整する回数を少なくする。
【００３２】
また、制御部８は、スルー画像に関する処理として、画像処理部１８により画像処理される際に用いられる画像処理パラメータを演算する周期を制御する処理を実行する。画像処理パラメータは、例えばガンマ値調整処理パラメータ、輪郭強調処理パラメータ、ノイズ低減処理パラメータ、ホワイトバランス調整処理パラメータ、色変換処理パラメータ等のことである。具体的には、ステップＳ１１では、制御部８は、接眼式ＥＶＦ用のスルー画像に関する処理として、被写体が移動している可能性が高く、被写体の変化が多い可能性が高いため、画像処理部１８により画像処理される際に用いられる画像処理パラメータを演算する周期を早くする。即ち、単位時間に画像処理パラメータを演算する数を多くし、ひいてはガンマ値調整処理パラメータ、輪郭強調処理パラメータ、ノイズ低減処理パラメータ、ホワイトバランス調整処理パラメータ、色変換処理パラメータ等を設定する回数を多くする。この場合には、移動する被写体の変化をスルー画像に即座に反映させることができ、かつ撮影時においても移動する被写体の変化を即座に反映させることができる。
【００３３】
一方、ステップＳ１２では、被写体が静止している可能性が高く、被写体の変化が少ない可能性が高いため、画像処理部１８により画像処理される際に用いられる画像処理パラメータを演算する周期を早くする必要がない。したがって、ステップＳ１２では、制御部８は、パネル式ＥＶＦ用のスルー画像に関する処理として、節電のため、画像処理部１８により画像処理される際に用いられる画像処理パラメータを演算する周期を遅くする。即ち、単位時間に画像処理パラメータを演算する数を少なし、ひいてはガンマ値調整処理パラメータ、輪郭強調処理パラメータ、ノイズ低減処理パラメータ、ホワイトバランス調整処理パラメータ、色変換処理パラメータ等を設定する回数を少なくする。
【００３４】
また、制御部８は、スルー画像に関する処理として、メモリカード２４に記録するために設定される画像処理パラメータ、即ち画像処理部１８により画像処理される際に用いられる画像処理パラメータの設定を制御する処理を実行する。具体的には、ステップＳ１１では、制御部８は、接眼式ＥＶＦ用のスルー画像に関する処理として、移動する被写体の捕捉を容易にするために、例えば、ガンマ値調整処理パラメータを、予め設定されている値よりスルー画像が明るくなる値に変更する処理を実行する。また、輪郭強調処理パラメータを、予め設定されている値よりスルー画像の輪郭強調が強調される値に変更する処理、ノイズ低減処理パラメータを、予め設定されている値よりスルー画像のノイズが低減される値に変更する処理を実行することもできる。また、ホワイトバランス調整処理パラメータの値の変更を禁止する処理またはホワイトバランス調整処理パラメータの値を変更する周期を遅くする処理、色変化処理パラメータの値の変更を禁止する処理または色変化処理パラメータの値を変更する周期を遅くする処理を実行することもできる。
【００３５】
なお、ガンマ値調整処理パラメータ、輪郭強調処理パラメータ及びノイズ低減処理パラメータの値を変更する場合には、ガンマ値調整処理パラメータの値を変更することにより増加したスルー画像の明るさ、輪郭強調処理パラメータの値を変更することにより強調された輪郭が滅失されない程度に、ノイズ低減処理パラメータの値を変更する。そして、設定された画像処理パラメータを用いて画像処理された画像データに基づくスルー画像を接眼式ＥＶＦ２６に表示する。また、実際に撮影する場合には、画像処理部１８において予め設定されている画像処理パラメータを用いて画像データの画像処理を行い、画像処理された画像データをバッファメモリ２０に一時的に記憶させ、メモリカード２４に記録する。
【００３６】
一方、ステップＳ１２では、被写体が静止している可能性が高いため、パネル式ＥＶＦ２８に表示するスルー画像の画像データに対する画像処理のために、画像処理パラメータを変更する必要がない。したがって、ステップＳ１２では、制御部８は、パネル式ＥＶＦ用のスルー画像に関する処理として、撮影画像としてスルー画像を視認することができるように、画像処理部１８において予め設定されている画像処理パラメータを用いてスルー画像の画像データに対して画像処理を行う。そして、画像処理された画像データに基づくスルー画像をパネル式ＥＶＦ２８に表示する。
【００３７】
また、制御部８は、ステップＳ１１において接眼式ＥＶＦ用のスルー画像に関する処理として、接眼式ＥＶＦ２６に表示させる画像の画像データに対して接眼式ＥＶＦ表示制御部１６により画像処理される際に用いられる画像処理パラメータの設定を制御する処理を実行する。例えば、移動する被写体の捕捉を容易にするために、画像処理部１８により画像処理される際に用いられる画像処理パラメータの設定を制御する処理と同様に、ガンマ値調整処理パラメータ、輪郭強調処理パラメータ、ノイズ低減処理パラメータの値を変更する処理を実行する。また、ホワイトバランス調整処理パラメータ、色変化処理パラメータの値の変更を禁止する処理または変更周期を遅くする処理を実行することもできる。そして、設定された画像処理パラメータを用いて接眼式ＥＶＦ表示制御部１６により画像処理された画像データに基づくスルー画像を接眼式ＥＶＦ２６に表示する。このように、接眼式ＥＶＦ表示制御部１６により画像処理される際に用いられる画像処理パラメータのみを変更することにより、撮影条件を変更することなく、接眼式ＥＶＦ２６に表示されるスルー画像を被写体の状態に応じて表示制御することができる。
【００３８】
一方、制御部８は、ステップＳ１２においてパネル式ＥＶＦ用のスルー画像に関する処理として、パネル式ＥＶＦ２８に表示させる画像の画像データに対してパネル式ＥＶＦ表示制御部２２により画像処理される際に用いられる画像処理パラメータの設定を制御する処理を実行する。具体的には、被写体が静止している可能性が高いため、パネル式ＥＶＦ２８に表示するスルー画像の画像データに対する画像処理のために、画像処理パラメータを変更する必要がない。したがって、ステップＳ１２では、制御部８は、パネル式ＥＶＦ用のスルー画像に関する処理として、撮影画像としてスルー画像を視認することができるように、パネル式ＥＶＦ表示制御部２２において予め設定されている画像処理パラメータを用いてスルー画像の画像データに対して画像処理を行う。そして、画像処理された画像データに基づくスルー画像をパネル式ＥＶＦ２８に表示する。
【００３９】
また、制御部８は、スルー画像に関する処理として、絞り値の大きさ及びフォーカス位置調整処理の少なくとも一方を制御する処理を実行する。例えば、小さい絞り値（浅い被写界深度）が設定されている場合であって、移動する被写体を撮影しようとしている場合、動く被写体の捕捉が困難になる場合や、被写体のみが合焦（背景等が非合焦）し、構図がわかりづらくなる場合がある。このような場合には、ステップＳ１１において接眼式ＥＶＦ用のスルー画像に関する処理として、絞り値を予め設定されている値より大きい値に変更する処理を実行する。そして、変更した大きい絞り値で被写界深度が深い状態（撮影範囲の広い領域内で合焦した状態）で撮像され、生成されたスルー画像を接眼式ＥＶＦ２６に表示する。なお、実際に撮影する場合には、予め設定されている絞り値で撮影する。また、ステップＳ１１において接眼式ＥＶＦ用のスルー画像に関する処理として、移動する被写体の捕捉を容易にするために、コントラスト検出方式より精度は劣るが処理速度が速く、移動する被写体の追尾や位置予測に向いている位相差検出方式によるフォーカス位置調整処理を実行する。具体的には、焦点検出部１２による検出結果に基づいてデフォーカス量を検出する。そして、位相差検出方式によりフォーカス位置が調整された状態で撮像され、生成されたスルー画像を接眼式ＥＶＦ２６に表示することもできる。なお、実際に撮影する場合には、予め設定されているフォーカス位置調整処理によりフォーカス位置を調整する。また、移動する被写体の捕捉を容易にするために、フォーカス位置を調整する周期を早くする処理を実行することもできる。
【００４０】
一方、制御部８は、ステップＳ１２においてパネル式ＥＶＦ用のスルー画像に関する処理として、被写体が静止している可能性が高いため、位相差検出方式より処理速度は劣るが精度が高いコントラスト検出方式によるフォーカス位置調整処理を実行する。具体的には、コントラスト値検出部１４による検出結果に基づいてデフォーカス量を検出する。そして、コントラスト検出方式によりフォーカス位置が調整された状態で撮像され、生成されたスルー画像を接眼式ＥＶＦ２６に表示する。なお、実際に撮影する場合には、予め設定されているフォーカス位置調整処理によりフォーカス位置を調整する。また、節電のために、フォーカス位置を調整する周期を遅くする処理を実行することもできる。
【００４１】
次に、制御部８は、スルー画像の撮影を終了させる操作がなされたか否かを判別する（ステップＳ１３）。スルー画像の撮影を終了させる操作としては、静止画像の撮影を指示する全押しレリーズ操作や、撮影モードから再生モードに切り替えるモード切替操作や、カメラの電源をオフする操作等が挙げられる。このうち例えば、ユーザーにより図示しないレリーズボタンが押下され、静止画像の撮影が実行されて、ステップＳ１３においてスルー画終了操作がなされたと判別された場合には（ステップＳ１３、Ｙｅｓ）、制御部８は、撮影され、バッファメモリ２０に記憶されている静止画像の画像データをメモリカード２４に記録し、静止画像の撮影処理を終了する。一方、ステップＳ１３においてスルー画像の撮影を終了させる操作がなされていないと判別された場合には（ステップＳ１３、Ｎｏ）、制御部８は、ステップＳ１０の処理に戻り、ステップＳ１３において上記操作によってスルー画像の撮影の終了指示が出力されたと判別されるまで、ステップＳ１０〜Ｓ１３の処理を繰り返す。
【００４２】
この実施の形態に係る電子カメラ２によれば、接眼式ＥＶＦ２６またはパネル式ＥＶＦ２８に表示されるスルー画像を被写体の状態に応じた表示制御を行うことができる。
【００４３】
なお、この実施の形態では、静止画像を撮影する際のスルー画像の撮影処理について説明したが、動画像を撮影する際、スルー画像に関する処理として、測光部１１による測光結果に基づく測光演算の周期を制御する処理、ホワイトバランス調整のための演算の周期を制御する処理、画像処理部１８により画像処理される際に用いられる画像処理パラメータを演算する周期を制御する処理、接眼式ＥＶＦ表示制御部１６により画像処理される際に用いられる画像処理パラメータの設定を制御する処理、パネル式ＥＶＦ表示制御部２２により画像処理される際に用いられる画像処理パラメータの設定を制御する処理を実行しつつ、撮影条件に基づき動画像を撮影することができる。
【符号の説明】
【００４４】
２…電子カメラ、４…レンズユニット、６…筐体、８…制御部、１０…撮像素子、１１…測光部、１２…焦点検出部、１４…コントラスト値検出部、１５…アイセンサ、１６…接眼式ＥＶＦ表示制御部、１８…画像処理部、２０…バッファメモリ、２２…パネル式ＥＶＦ表示制御部、２４…メモリカード、２６…接眼式電子ビューファインダ、２７…接眼レンズ、２８…パネル式電子ビューファインダ。
【図１】
0005598156.tif 000002
【図２】
0005598156.tif 000003